(57)【要約】      （修正有）【課題】防御する面積を変えられ、防御性が高く、盾の着用と解体とが簡単である盾玩具を提供する。【解決手段】盾玩具は、防御板１０を含み、防御板１０の中には左右に対称的な凹み溝１１が設置され、凹み溝１１の前後端壁の間には上下に対称的な固定棒１４が固定的に設置され、凹み溝１１の中には拡大板１２がスライドできるように設置され、二つの拡大板１２のうち近接した一端と凹み溝１１との間には上下に対称的な連結撥条５２が固定的に設置され、拡大板１２の中には固定棒１４とスライドできるように連結された上下に対称的なスライド溝１３が設置され、拡大板１２のうち近接した一端には固定フックが固定的に設置される。構造が簡単で、操作が便利で、盾を頑丈にアームに着用でき、手部の力を減少させ、着用も解体も便利であり、それに、盾の防御面積が自動的に増え、且つ収縮が便利であり、ゲーム時に便利に使用できる。【選択図】図１
2020179128.tif 000002
【特許請求の範囲】
【請求項１】
正面視で、防御板を含み、前記防御板の中には左右に対称的な凹み溝が設置され、前記凹み溝の前後端壁の間には上下に対称的な固定棒が固定的に設置され、前記凹み溝の中には拡大板がスライドできるように設置され、二つの前記拡大板のうち近接した一端と前記凹み溝との間には上下に対称的な連結撥条が固定的に設置され、前記拡大板の中には前記固定棒とスライドできるように連結された上下に対称的なスライド溝が設置され、前記拡大板のうち近接した一端には固定フックが固定的に設置され、前記拡大板のうち近接した一端には牽引縄が固定的に設置され、前記凹み溝の間には連結溝が連通し合って設置され、前記連結溝の中には牽引輪が左右に対称的に固定的に設置され、前記連結溝の前側と外部との間には二つの引き溝が連通して設置され、前記牽引縄のもう一端が前記牽引輪に巻き付いて前記引き溝を貫通して外部に伸びており、外部の前記引き溝の間には連結ベルトが固定的に設置され、前記連結溝の下側にはロックチャンバが設置され、二つの前記固定フックのうち近接した一端が前記ロックチャンバの中に伸びており、前記ロックチャンバの中には左右に設置された回転フックが回転できるように設置され、前記回転フックの上端の間にはねじりばねが固定的に設置され、前記ロックチャンバの下端壁の中には空溝が連通し合って設置され、前記空溝の中には上端が前記ロックチャンバの中に伸びている押し棒がスライドできるように設置され、前記押し棒には係止溝が設置され、前記空溝の下側と外部には凹みチャンバが連通して設置され、前記押し棒の下端が前記凹みチャンバの中に伸びており且つ前記押し棒の下端にはスライド板が固定的に設置され、前記押し棒には伸縮撥条が嵌められて設置され、前記スライド板の左右端にはガイドブロックが固定的に設置され、前記防御板の前端面には固定ブロックが固定的に設置され、前記固定ブロックの中には差込溝が設置され、前記差込溝の中にはロック装置が設置され、前記ロック装置を前記係止溝と係止連結でき、前記固定ブロックの上側には回転溝が設置され、前記回転溝の中には回転蓋が回転できるように設置され、前記回転蓋の後端と前記回転溝との間には回転撥条が固定的に設置され、前記回転蓋と前記固定ブロックとの間が抜きチャンバを形成し、前記回転蓋の前端には前記差込溝と挿入連結された挿入連結ベルトが固定的に設置されており、前記防御板をアームに着用でき、且つ前記防御板の展開面積を変えられることを特徴とする盾玩具。
【請求項２】
前記ロック装置は前記差込溝と連通し合った左右に対称的な押し溝を含み、前記押し溝の中にはロックブロックがスライドできるように設置され、前記ロックブロックの後端が前記差込溝の中に伸びて前記挿入連結ベルトと係止連結され、前記ロックブロックの前端と前記押し溝との間には押し撥条が固定的に設置され、前記ロックブロックの中には抜き溝が設置され、前記二つの押し溝の間には押し溝が連通して設置され、前記押し溝の右端と外部とが連通し合っており、前記押し溝の中には前記抜き溝の前端壁と当接した押し棒がスライドできるように設置され、前記押し棒の前端面には前記押し棒を復帰させる復帰部品が固定的に設置され、前記差込溝の後側には伝動装置が設置され、前記伝動装置と前記挿入連結ベルトの下端とが固定的に連結されており、前記差込溝における前記挿入連結ベルトの位置を調節することを特徴とする請求項１に記載の盾玩具。
【請求項３】
前記伝動装置は前記差込溝の中にスライドできるように設置された移動棒を含み、前記移動棒の前端と前記挿入連結ベルトの下端との間には押し撥条が固定的に設置され、前記差込溝の後端壁の中には抜き溝が連通して設置され、前記移動棒の後端が前記抜き溝の中に伸びており、前記抜き溝の上側には回転チャンバが連通し合って設置され、前記回転チャンバの中には下端と前記移動棒の後端とが回転できるように設置された回転棒が回転できるように設置され、前記回転棒の前端と前記回転チャンバとの間には復帰撥条が固定的に設置され、前記回転チャンバの上側と前記空溝との間にはスライドチャンバが連通して設置され、前記スライドチャンバの中には前端と前記回転棒とが回転できるように連結された係止ブロックがスライドできるように設置され、前記係止ブロックの後端は前記係止溝の中に伸びて前記押し棒をロックさせることができ、前記係止ブロックと前記係止溝とが離れて前記押し棒を昇降可能にさせることを特徴とする請求項１に記載の盾玩具。
【発明の詳細な説明】
【技術分野】
【０００１】
本発明は玩具技術の分野を取り上げて、具体的には盾玩具である。
【背景技術】
【０００２】
現有の盾玩具はただ防御面板にだけ外観の設計にこだわり、面板の機能性と構造は同じでただの面板であり、構造が単一であり、防御する面積を変えられなく、防御性が低く、それに、盾の着用と解体とが不便である。
そのため、現有の技術の盾玩具の設備を更に改善し、それにより防御力を高める。
【先行技術文献】
【特許文献】
【０００３】
【特許文献１】中国特許出願公開第１０８３６７２０２号明細書
【発明の概要】
【発明が解決しようとする課題】
【０００４】
本発明の目的は盾玩具を提供し、現有の技術の上記の欠点を克服できる。
【課題を解決するための手段】
【０００５】
本発明の盾玩具は、防御板を含み、前記防御板の中には左右に対称的な凹み溝が設置され、前記凹み溝の前後端壁の間には上下に対称的な固定棒が固定的に設置され、前記凹み溝の中には拡大板がスライドできるように設置され、二つの前記拡大板のうち近接した一端と前記凹み溝との間には上下に対称的な連結撥条が固定的に設置され、前記拡大板の中には前記固定棒とスライドできるように連結された上下に対称的なスライド溝が設置され、前記拡大板のうち近接した一端には固定フックが固定的に設置され、前記拡大板のうち近接した一端には牽引縄が固定的に設置され、前記凹み溝の間には連結溝が連通し合って設置され、前記連結溝の中には牽引輪が左右に対称的に固定的に設置され、前記連結溝の前側と外部との間には二つの引き溝が連通して設置され、前記牽引縄のもう一端が前記牽引輪に巻き付いて前記引き溝を貫通して外部に伸びており、外部の前記引き溝の間には連結ベルトが固定的に設置され、前記連結溝の下側にはロックチャンバが設置され、二つの前記固定フックのうち近接した一端が前記ロックチャンバの中に伸びており、前記ロックチャンバの中には左右に設置された回転フックが回転できるように設置され、前記回転フックの上端の間にはねじりばねが固定的に設置され、前記ロックチャンバの下端壁の中には空溝が連通し合って設置され、前記空溝の中には上端が前記ロックチャンバの中に伸びている押し棒がスライドできるように設置され、前記押し棒には係止溝が設置され、前記空溝の下側と外部には凹みチャンバが連通して設置され、前記押し棒の下端が前記凹みチャンバの中に伸びており且つ前記押し棒の下端にはスライド板が固定的に設置され、前記押し棒には伸縮撥条が嵌められて設置され、前記スライド板の左右端にはガイドブロックが固定的に設置され、前記防御板の前端面には固定ブロックが固定的に設置され、前記固定ブロックの中には差込溝が設置され、前記差込溝の中にはロック装置が設置され、前記ロック装置を前記係止溝と係止連結でき、前記固定ブロックの上側には回転溝が設置され、前記回転溝の中には回転蓋が回転できるように設置され、前記回転蓋の後端と前記回転溝との間には回転撥条が固定的に設置され、前記回転蓋と前記固定ブロックとの間が抜きチャンバを形成し、前記回転蓋の前端には前記差込溝と挿入連結された挿入連結ベルトが固定的に設置されており、前記防御板をアームに着用でき、且つ前記防御板の展開面積を変えられる。
【０００６】
更なる技術方案、前記ロック装置は前記差込溝と連通し合った左右に対称的な押し溝を含み、前記押し溝の中にはロックブロックがスライドできるように設置され、前記ロックブロックの後端が前記差込溝の中に伸びて前記挿入連結ベルトと係止連結され、前記ロックブロックの前端と前記押し溝との間には押し撥条が固定的に設置され、前記ロックブロックの中には抜き溝が設置され、前記二つの押し溝の間には押し溝が連通して設置され、前記押し溝の右端と外部とが連通し合っており、前記押し溝の中には前記抜き溝の前端壁と当接した押し棒がスライドできるように設置され、前記押し棒の前端面には前記押し棒を復帰させる復帰部品が固定的に設置され、前記差込溝の後側には伝動装置が設置され、前記伝動装置と前記挿入連結ベルトの下端とが固定的に連結されており、前記差込溝における前記挿入連結ベルトの位置を調節する。
【０００７】
更なる技術方案、前記伝動装置は前記差込溝の中にスライドできるように設置された移動棒を含み、前記移動棒の前端と前記挿入連結ベルトの下端との間には押し撥条が固定的に設置され、前記差込溝の後端壁の中には抜き溝が連通して設置され、前記移動棒の後端が前記抜き溝の中に伸びており、前記抜き溝の上側には回転チャンバが連通し合って設置され、前記回転チャンバの中には下端と前記移動棒の後端とが回転できるように設置された回転棒が回転できるように設置され、前記回転棒の前端と前記回転チャンバとの間には復帰撥条が固定的に設置され、前記回転チャンバの上側と前記空溝との間にはスライドチャンバが連通して設置され、前記スライドチャンバの中には前端と前記回転棒とが回転できるように連結された係止ブロックがスライドできるように設置され、前記係止ブロックの後端は前記係止溝の中に伸びて前記押し棒をロックさせることができ、前記係止ブロックと前記係止溝とが離れて前記押し棒を昇降可能にさせる。
【発明の効果】
【０００８】
本発明の有益な効果は：本発明は構造が簡単で、操作が便利で、盾を頑丈にアームに着用でき、手部の力を減少させ、着用も解体も便利であり、それに、盾の防御面積が自動的に増え、且つ収縮が便利であり、ゲーム時に便利に使用できる。
【図面の簡単な説明】
【０００９】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の盾玩具の装置の内部全体構造模式図
【図２】図２は本発明の図１の「Ａ」の拡大構造模式図
【図３】図３は本発明の図１の「ＢーＢ」の方向の構造模式図
【図４】図４は本発明の図３の「ＣーＣ」の方向の構造模式図
【図５】図５は本発明の図３の「ＤーＤ」の方向の構造模式図
【図６】図６は本発明の図５の「Ｅ］の拡大構造模式図
【図７】図７は本発明の図６の「ＦーＦ」の方向の構造模式図
【図８】図８は本発明の図３の「Ｇ」の拡大構造模式図
【発明を実施するための形態】
【００１１】
図１〜８を参考して、本発明における実施例の盾玩具は、防御板１０を含み、前記防御板１０の中には左右に対称的な凹み溝１１が設置され、前記凹み溝１１の前後端壁の間には上下に対称的な固定棒１４が固定的に設置され、前記凹み溝１１の中には拡大板１２がスライドできるように設置され、二つの前記拡大板１２のうち近接した一端と前記凹み溝１１との間には上下に対称的な連結撥条５２が固定的に設置され、前記拡大板１２の中には前記固定棒１４とスライドできるように連結された上下に対称的なスライド溝１３が設置され、前記拡大板１２のうち近接した一端には固定フック１６が固定的に設置され、前記拡大板１２のうち近接した一端には牽引縄２８が固定的に設置され、前記凹み溝１１の間には連結溝２６が連通し合って設置され、前記連結溝２６の中には牽引輪２７が左右に対称的に固定的に設置され、前記連結溝２６の前側と外部との間には二つの引き溝５０が連通して設置され、前記牽引縄２８のもう一端が前記牽引輪２７に巻き付いて前記引き溝５０を貫通して外部に伸びており、外部の前記引き溝５０の間には連結ベルト５１が固定的に設置され、前記連結溝２６の下側にはロックチャンバ１５が設置され、二つの前記固定フック１６のうち近接した一端が前記ロックチャンバ１５の中に伸びており、前記ロックチャンバ１５の中には左右に設置された回転フック１７が回転できるように設置され、前記回転フック１７の上端の間にはねじりばね１８が固定的に設置され、前記ロックチャンバ１５の下端壁の中には空溝１９が連通し合って設置され、前記空溝１９の中には上端が前記ロックチャンバ１５の中に伸びている押し棒１２０がスライドできるように設置され、前記押し棒２０には係止溝２１が設置され、前記空溝１９の下側と外部には凹みチャンバ２２が連通して設置され、前記押し棒２０の下端が前記凹みチャンバ２２の中に伸びており且つ前記押し棒２０の下端にはスライド板２３が固定的に設置され、前記押し棒２０には伸縮撥条２４が嵌められて設置され、前記スライド板２３の左右端にはガイドブロック２５が固定的に設置され、前記防御板１０の前端面には固定ブロック２９が固定的に設置され、前記固定ブロック２９の中には差込溝３０が設置され、前記差込溝３０の中にはロック装置１００が設置され、前記ロック装置１００を前記係止溝２１と係止連結でき、前記固定ブロック２９の上側には回転溝３９が設置され、前記回転溝３９の中には回転蓋４０が回転できるように設置され、前記回転蓋４０の後端と前記回転溝３９との間には回転撥条４１が固定的に設置され、前記回転蓋４０と前記固定ブロック２９との間が抜きチャンバ４２を形成し、前記回転蓋４０の前端には前記差込溝３０と挿入連結された挿入連結ベルト４３が固定的に設置されており、前記防御板１０をアームに着用でき、且つ前記防御板１０の展開面積を変えられる。
【００１２】
有益なように、前記ロック装置１００は前記差込溝３０と連通し合った左右に対称的な押し溝４５を含み、前記押し溝４５の中にはロックブロック３２がスライドできるように設置され、前記ロックブロック３２の後端が前記差込溝３０の中に伸びて前記挿入連結ベルト４３と係止連結され、前記ロックブロック３２の前端と前記押し溝４５との間には押し撥条４６が固定的に設置され、前記ロックブロック３２の中には抜き溝３３が設置され、前記二つの押し溝４５の間には押し溝４７が連通して設置され、前記押し溝４７の右端と外部とが連通し合っており、前記押し溝４７の中には前記抜き溝３３の前端壁と当接した押し棒４８がスライドできるように設置され、前記押し棒４８の前端面には前記押し棒４８を復帰させる復帰部品４９が固定的に設置され、前記差込溝３０の後側には伝動装置２００が設置され、前記伝動装置２００と前記挿入連結ベルト４３の下端とが固定的に連結されており、前記差込溝３０における前記挿入連結ベルト４３の位置を調節する。
【００１３】
有益なように、前記伝動装置２００は前記差込溝３０の中にスライドできるように設置された移動棒３１を含み、前記移動棒３１の前端と前記挿入連結ベルト４３の下端との間には押し撥条４４が固定的に設置され、前記差込溝３０の後端壁の中には抜き溝３３が連通して設置され、前記移動棒３１の後端が前記抜き溝３３の中に伸びており、前記抜き溝３３の上側には回転チャンバ３４が連通し合って設置され、前記回転チャンバ３４の中には下端と前記移動棒３１の後端とが回転できるように設置された回転棒３５が回転できるように設置され、前記回転棒３５の前端と前記回転チャンバ３４との間には復帰撥条３６が固定的に設置され、前記回転チャンバ３４の上側と前記空溝１９との間にはスライドチャンバ３７が連通して設置され、前記スライドチャンバ３７の中には前端と前記回転棒３５とが回転できるように連結された係止ブロック３８がスライドできるように設置され、前記係止ブロック３８の後端は前記係止溝２１の中に伸びて前記押し棒２０をロックさせることができ、前記係止ブロック３８と前記係止溝２１とが離れて前記押し棒２０を昇降可能にさせる。
【００１４】
初期状態の時、拡大板１２が凹み溝１１の中に収縮し、固定フック１６と回転フック１７とが係止連結され、連結撥条５２が圧縮の状態にあり、回転撥条４１が自然状態であり、係止ブロック３８と係止溝２１とが係止連結される。
【００１５】
作動する時、アームを抜きチャンバ４２に通して手を回転蓋４０の右側に位置させ、手が連結ベルト５１の後側を抜いて連結ベルト５１をつかみ、アームの太さによって回転蓋４０を押し、挿入連結ベルト４３が差込溝３０の中で下に移動し、押し撥条４４によって移動棒３１を後に移動し、回転棒３５が回転し、係止ブロック３８を前に移動して係止溝２１から離脱させ、押し棒２０が自由に昇降でき、挿入連結ベルト４３の位置を確認した後挿入連結ベルト４３を放し、ロックブロック３２と挿入連結ベルト４３が係止連結されて挿入連結ベルト４３の位置をロックさせ、片アームによって防御板１０を制御してゲームの防御と攻めを真似して遊べ、防御の面積を広げるとき、アームを力を入れて早く下に振り、スライド板２３が防御板１０より上に移動する状態にさせ、それに従って押し棒２０も上昇し、回転フック１７を推して両側に回転させ、回転フック１７が固定フック１６から離脱し、それにより拡大板１２が連結撥条５２によってスライド溝１３に沿って外部に伸びて防御の面積を拡大させ、拡大板１２を凹み溝１１の中に納める時、腕を回して連結ベルト５１を前に引っ張り、牽引縄２８によって拡大板１２を引き動かして対向して移動し、固定フック１６と回転フック１７が係止連結されて拡大板１２をロックさせ、盾を取り出す時、押し棒４８を左に押してロックブロック３２を前に移動しかつロックブロック３２と挿入連結ベルト４３とを離脱させ、回転蓋４０が回転撥条４１によって後に移動し、アームが左に抜きチャンバ４２から引き出せばいい。
【００１６】
本発明の有益な効果は：本発明は構造が簡単で、操作が便利で、盾を頑丈にアームに着用でき、手部の力を減少させ、着用も解体も便利であり、それに、盾の防御面積が自動的に増え、且つ収縮が便利であり、ゲーム時に便利に使用できる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179128.tif 000003
【図２】
2020179128.tif 000004
【図３】
2020179128.tif 000005
【図４】
2020179128.tif 000006
【図５】
2020179128.tif 000007
【図６】
2020179128.tif 000008
【図７】
2020179128.tif 000009
【図８】
2020179128.tif 000010
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
正面視で、防御板を含み、前記防御板の中には左右に対称的な凹み溝がそれぞれ設置され、前記凹み溝の前後端壁の間には上下に対称的な固定棒がそれぞれ固定的に設置され、前記凹み溝の中には拡大板がスライドできるように設置され、二つの前記拡大板のうち近接した一端と前記凹み溝との間には上下に対称的な連結撥条がそれぞれ固定的に設置され、前記拡大板の中には前記固定棒とスライドできるように連結された上下に対称的なスライド溝がそれぞれ設置され、前記拡大板のうち近接した一端には固定フックが固定的に設置され、前記拡大板のうち近接した一端には牽引縄が固定的に設置され、左側の前記凹み溝と右側の前記凹み溝との間には連結溝が連通するように設置され、前記連結溝の中には牽引輪が左右対称に配列するように固定的に設置され、前記連結溝の前側と防御板の外部との間には二つの引き溝が連通して設置され、前記牽引縄のもう一端が前記牽引輪に巻き付いて前記引き溝を貫通して防御板の外部に伸びており、防御板の外部の前記引き溝の間には連結ベルトが固定的に設置され、前記連結溝の下側にはロックチャンバが設置され、二つの前記固定フックにおいて向かい合っている一端が前記ロックチャンバの中に伸びており、前記ロックチャンバの中には左右に設置された回転フックが回転できるように設置され、前記回転フックの上端の間にはねじりばねが固定的に設置され、前記ロックチャンバの下端壁の中には空溝が設置され、前記空溝と前記ロックチャンバとが連通し合って設置され、前記空溝の中には上端が前記ロックチャンバの中に伸びている押し棒がスライドできるように設置され、前記押し棒には係止溝が設置され、前記空溝の下側と防御板の外部には凹みチャンバが連通して設置され、前記押し棒の下端が前記凹みチャンバの中に伸びており且つ前記押し棒の下端にはスライド板が固定的に設置され、前記押し棒には伸縮撥条が嵌められて設置され、前記スライド板の左右端にはガイドブロックが固定的に設置され、前記防御板の前端面には固定ブロックが固定的に設置され、前記固定ブロックの中には差込溝が設置され、前記差込溝の中にはロック装置が設置され、前記ロック装置を前記係止溝と係止連結でき、前記固定ブロックの上側には回転溝が設置され、前記回転溝の中には回転蓋が回転できるように設置され、前記回転蓋の後端と前記回転溝との間には回転撥条が固定的に設置され、前記回転蓋と前記固定ブロックとの間が抜きチャンバを形成し、前記回転蓋の前端には前記差込溝と挿入連結された挿入連結ベルトが固定的に設置されており、前記防御板を人の腕に着用し、
前記ロック装置は前記差込溝と連通し合った左右に対称的な押し溝を含み、前記押し溝の中にはロックブロックがスライドできるように設置され、前記ロックブロックの後端が前記差込溝の中に伸びて前記挿入連結ベルトと係止連結され、前記ロックブロックの前端と前記押し溝との間には押し撥条が固定的に設置され、前記ロックブロックの中には抜き溝が設置され、二つの前記押し溝の間にはプレス溝が連通して設置され、前記プレス溝の右端と防御板の外部とが連通し合っており、前記プレス溝の中には前記抜き溝の前端壁と当接した押し棒がスライドできるように設置され、前記押し棒の前端面には前記押し棒を復帰させる復帰部品が固定的に設置され、前記差込溝の後側には伝動装置が設置され、前記伝動装置と前記挿入連結ベルトの下端とが固定的に連結されており、前記差込溝における前記挿入連結ベルトの位置を調節することを特徴とする盾玩具。
【請求項２】
前記伝動装置は前記差込溝の中にスライドできるように設置された移動棒を含み、前記移動棒の前端と前記挿入連結ベルトの下端との間には押圧撥条が固定的に設置され、前記差込溝の後端壁の中には抜き溝が連通して設置され、前記移動棒の後端が前記抜き溝の中に伸びており、前記抜き溝の上側には回転チャンバが連通し合って設置され、前記回転チャンバの中には下端と前記移動棒の後端とが回転できるように設置された回転棒が回転できるように設置され、前記回転棒の前端と前記回転チャンバとの間には復帰撥条が固定的に設置され、前記回転チャンバの上側と前記空溝との間にはスライドチャンバが連通して設置され、前記スライドチャンバの中には前端と前記回転棒とが回転できるように連結された係止ブロックがスライドできるように設置され、前記係止ブロックの後端は前記係止溝の中に伸びて前記押し棒をロックさせることができ、前記係止ブロックと前記係止溝とが離れて前記押し棒を昇降可能にさせることを特徴とする請求項１に記載の盾玩具。
【手続補正２】
【補正対象書類名】明細書
【補正対象項目名】全文
【補正方法】変更
【補正の内容】
【発明の詳細な説明】
【技術分野】
【０００１】
本発明は玩具技術の分野を取り上げて、具体的には盾玩具である。
【背景技術】
【０００２】
現有の盾玩具はただ防御面板にだけ外観の設計にこだわり、面板の機能性と構造は同じでただの面板であり、構造が単一であり、防御する面積を変えられなく、防御性が低く、それに、盾の着用と解体とが不便である。
そのため、現有の技術の盾玩具の設備を更に改善し、それにより防御力を高める。
【先行技術文献】
【特許文献】
【０００３】
【特許文献１】中国特許出願公開第１０８３６７２０２号明細書
【発明の概要】
【発明が解決しようとする課題】
【０００４】
本発明の目的は盾玩具を提供し、現有の技術の上記の欠点を克服できる。
【課題を解決するための手段】
【０００５】
本発明の盾玩具は、防御板を含み、前記防御板の中には左右に対称的な凹み溝がそれぞれ設置され、前記凹み溝の前後端壁の間には上下に対称的な固定棒がそれぞれ固定的に設置され、前記凹み溝の中には拡大板がスライドできるように設置され、二つの前記拡大板のうち近接した一端と前記凹み溝との間には上下に対称的な連結撥条がそれぞれ固定的に設置され、前記拡大板の中には前記固定棒とスライドできるように連結された上下に対称的なスライド溝がそれぞれ設置され、前記拡大板のうち近接した一端には固定フックが固定的に設置され、前記拡大板のうち近接した一端には牽引縄が固定的に設置され、左側の前記凹み溝と右側の前記凹み溝との間には連結溝が連通するように設置され、前記連結溝の中には牽引輪が左右対称に配列するように固定的に設置され、前記連結溝の前側と防御板の外部との間には二つの引き溝が連通して設置され、前記牽引縄のもう一端が前記牽引輪に巻き付いて前記引き溝を貫通して防御板の外部に伸びており、防御板の外部の前記引き溝の間には連結ベルトが固定的に設置され、前記連結溝の下側にはロックチャンバが設置され、二つの前記固定フックにおいて向かい合っている一端が前記ロックチャンバの中に伸びており、前記ロックチャンバの中には左右に設置された回転フックが回転できるように設置され、前記回転フックの上端の間にはねじりばねが固定的に設置され、前記ロックチャンバの下端壁の中には空溝が設置され、前記空溝と前記ロックチャンバとが連通し合って設置され、前記空溝の中には上端が前記ロックチャンバの中に伸びている押し棒がスライドできるように設置され、前記押し棒には係止溝が設置され、前記空溝の下側と防御板の外部には凹みチャンバが連通して設置され、前記押し棒の下端が前記凹みチャンバの中に伸びており且つ前記押し棒の下端にはスライド板が固定的に設置され、前記押し棒には伸縮撥条が嵌められて設置され、前記スライド板の左右端にはガイドブロックが固定的に設置され、前記防御板の前端面には固定ブロックが固定的に設置され、前記固定ブロックの中には差込溝が設置され、前記差込溝の中にはロック装置が設置され、前記ロック装置を前記係止溝と係止連結でき、前記固定ブロックの上側には回転溝が設置され、前記回転溝の中には回転蓋が回転できるように設置され、前記回転蓋の後端と前記回転溝との間には回転撥条が固定的に設置され、前記回転蓋と前記固定ブロックとの間が抜きチャンバを形成し、前記回転蓋の前端には前記差込溝と挿入連結された挿入連結ベルトが固定的に設置されており、前記防御板を人の腕に着用する。
【０００６】
更なる技術方案、前記ロック装置は前記差込溝と連通し合った左右に対称的な押し溝を含み、前記押し溝の中にはロックブロックがスライドできるように設置され、前記ロックブロックの後端が前記差込溝の中に伸びて前記挿入連結ベルトと係止連結され、前記ロックブロックの前端と前記押し溝との間には押し撥条が固定的に設置され、前記ロックブロックの中には抜き溝が設置され、二つの前記押し溝の間にはプレス溝が連通して設置され、前記プレス溝の右端と防御板の外部とが連通し合っており、前記プレス溝の中には前記抜き溝の前端壁と当接した押し棒がスライドできるように設置され、前記押し棒の前端面には前記押し棒を復帰させる復帰部品が固定的に設置され、前記差込溝の後側には伝動装置が設置され、前記伝動装置と前記挿入連結ベルトの下端とが固定的に連結されており、前記差込溝における前記挿入連結ベルトの位置を調節する。
【０００７】
更なる技術方案、前記伝動装置は前記差込溝の中にスライドできるように設置された移動棒を含み、前記移動棒の前端と前記挿入連結ベルトの下端との間には押圧撥条が固定的に設置され、前記差込溝の後端壁の中には抜き溝が連通して設置され、前記移動棒の後端が前記抜き溝の中に伸びており、前記抜き溝の上側には回転チャンバが連通し合って設置され、前記回転チャンバの中には下端と前記移動棒の後端とが回転できるように設置された回転棒が回転できるように設置され、前記回転棒の前端と前記回転チャンバとの間には復帰撥条が固定的に設置され、前記回転チャンバの上側と前記空溝との間にはスライドチャンバが連通して設置され、前記スライドチャンバの中には前端と前記回転棒とが回転できるように連結された係止ブロックがスライドできるように設置され、前記係止ブロックの後端は前記係止溝の中に伸びて前記押し棒をロックさせることができ、前記係止ブロックと前記係止溝とが離れて前記押し棒を昇降可能にさせる。
【発明の効果】
【０００８】
本発明の有益な効果は：本発明は構造が簡単で、操作が便利で、盾を頑丈にアームに着用でき、手部の力を減少させ、着用も解体も便利であり、それに、盾の防御面積が自動的に増え、且つ収縮が便利であり、ゲーム時に便利に使用できる。
【図面の簡単な説明】
【０００９】
下記に図１〜８をあわせて本発明について詳しく説明し、本願発明に記載の各方向は、図１と同じ方向から装置を観察するときの方向と同じである。
【００１０】
【図１】図１は本発明の盾玩具の装置の内部全体構造模式図
【図２】図２は本発明の図１の「Ａ」の拡大構造模式図
【図３】図３は本発明の図１の「ＢーＢ」の方向の構造模式図
【図４】図４は本発明の図３の「ＣーＣ」の方向の構造模式図
【図５】図５は本発明の図３の「ＤーＤ」の方向の構造模式図
【図６】図６は本発明の図５の「Ｅ］の拡大構造模式図
【図７】図７は本発明の図６の「ＦーＦ」の方向の構造模式図
【図８】図８は本発明の図３の「Ｇ」の拡大構造模式図
【発明を実施するための形態】
【００１１】
図１〜８を参考して、本発明における実施例の盾玩具は、防御板１０を含み、前記防御板１０の中には左右に対称的な凹み溝１１がそれぞれ設置され、前記凹み溝１１の前後端壁の間には上下に対称的な固定棒１４がそれぞれ固定的に設置され、前記凹み溝１１の中には拡大板１２がスライドできるように設置され、二つの前記拡大板１２のうち近接した一端と前記凹み溝１１との間には上下に対称的な連結撥条５２がそれぞれ固定的に設置され、前記拡大板１２の中には前記固定棒１４とスライドできるように連結された上下に対称的なスライド溝１３がそれぞれ設置され、前記拡大板１２のうち近接した一端には固定フック１６が固定的に設置され、前記拡大板１２のうち近接した一端には牽引縄２８が固定的に設置され、左側の前記凹み溝１１と右側の前記凹み溝１１との間には連結溝２６が連通するように設置され、前記連結溝２６の中には牽引輪２７が左右対称に配列するように固定的に設置され、前記連結溝２６の前側と防御板１０の外部との間には二つの引き溝５０が連通して設置され、前記牽引縄２８のもう一端が前記牽引輪２７に巻き付いて前記引き溝５０を貫通して防御板１０の外部に伸びており、防御板１０の外部の前記引き溝５０の間には連結ベルト５１が固定的に設置され、前記連結溝２６の下側にはロックチャンバ１５が設置され、二つの前記固定フック１６において向かい合っている一端が前記ロックチャンバ１５の中に伸びており、前記ロックチャンバ１５の中には左右に設置された回転フック１７が回転できるように設置され、前記回転フック１７の上端の間にはねじりばね１８が固定的に設置され、前記ロックチャンバ１５の下端壁の中には空溝１９が設置され、前記空溝１９と前記ロックチャンバ１５とが連通し合って設置され、前記空溝１９の中には上端が前記ロックチャンバ１５の中に伸びている押し棒１２０がスライドできるように設置され、前記押し棒２０には係止溝２１が設置され、前記空溝１９の下側と防御板１０の外部には凹みチャンバ２２が連通して設置され、前記押し棒２０の下端が前記凹みチャンバ２２の中に伸びており且つ前記押し棒２０の下端にはスライド板２３が固定的に設置され、前記押し棒２０には伸縮撥条２４が嵌められて設置され、前記スライド板２３の左右端にはガイドブロック２５が固定的に設置され、前記防御板１０の前端面には固定ブロック２９が固定的に設置され、前記固定ブロック２９の中には差込溝３０が設置され、前記差込溝３０の中にはロック装置１００が設置され、前記ロック装置１００を前記係止溝２１と係止連結でき、前記固定ブロック２９の上側には回転溝３９が設置され、前記回転溝３９の中には回転蓋４０が回転できるように設置され、前記回転蓋４０の後端と前記回転溝３９との間には回転撥条４１が固定的に設置され、前記回転蓋４０と前記固定ブロック２９との間が抜きチャンバ４２を形成し、前記回転蓋４０の前端には前記差込溝３０と挿入連結された挿入連結ベルト４３が固定的に設置されており、前記防御板１０を人の腕に着用する。
【００１２】
有益なように、前記ロック装置１００は前記差込溝３０と連通し合った左右に対称的な押し溝４５を含み、前記押し溝４５の中にはロックブロック３２がスライドできるように設置され、前記ロックブロック３２の後端が前記差込溝３０の中に伸びて前記挿入連結ベルト４３と係止連結され、前記ロックブロック３２の前端と前記押し溝４５との間には押し撥条４６が固定的に設置され、前記ロックブロック３２の中には抜き溝３３が設置され、二つの前記押し溝４５の間にはプレス溝４７が連通して設置され、前記プレス溝４７の右端と防御板１０の外部とが連通し合っており、前記プレス溝４７の中には前記抜き溝３３の前端壁と当接した押し棒４８がスライドできるように設置され、前記押し棒４８の前端面には前記押し棒４８を復帰させる復帰部品４９が固定的に設置され、前記差込溝３０の後側には伝動装置２００が設置され、前記伝動装置２００と前記挿入連結ベルト４３の下端とが固定的に連結されており、前記差込溝３０における前記挿入連結ベルト４３の位置を調節する。
【００１３】
有益なように、前記伝動装置２００は前記差込溝３０の中にスライドできるように設置された移動棒３１を含み、前記移動棒３１の前端と前記挿入連結ベルト４３の下端との間には押圧撥条４４が固定的に設置され、前記差込溝３０の後端壁の中には抜き溝３３が連通して設置され、前記移動棒３１の後端が前記抜き溝３３の中に伸びており、前記抜き溝３３の上側には回転チャンバ３４が連通し合って設置され、前記回転チャンバ３４の中には下端と前記移動棒３１の後端とが回転できるように設置された回転棒３５が回転できるように設置され、前記回転棒３５の前端と前記回転チャンバ３４との間には復帰撥条３６が固定的に設置され、前記回転チャンバ３４の上側と前記空溝１９との間にはスライドチャンバ３７が連通して設置され、前記スライドチャンバ３７の中には前端と前記回転棒３５とが回転できるように連結された係止ブロック３８がスライドできるように設置され、前記係止ブロック３８の後端は前記係止溝２１の中に伸びて前記押し棒２０をロックさせることができ、前記係止ブロック３８と前記係止溝２１とが離れて前記押し棒２０を昇降可能にさせる。
【００１４】
初期状態の時、拡大板１２が凹み溝１１の中に収縮し、固定フック１６と回転フック１７とが係止連結され、連結撥条５２が圧縮の状態にあり、回転撥条４１が自然状態であり、係止ブロック３８と係止溝２１とが係止連結される。
【００１５】
作動する時、アームを抜きチャンバ４２に通して手を回転蓋４０の右側に位置させ、手が連結ベルト５１の後側を抜いて連結ベルト５１をつかみ、アームの太さによって回転蓋４０を押し、挿入連結ベルト４３が差込溝３０の中で下に移動し、押圧撥条４４によって移動棒３１を後に移動し、回転棒３５が回転し、係止ブロック３８を前に移動して係止溝２１から離脱させ、押し棒２０が自由に昇降でき、挿入連結ベルト４３の位置を確認した後挿入連結ベルト４３を放し、ロックブロック３２と挿入連結ベルト４３が係止連結されて挿入連結ベルト４３の位置をロックさせ、片アームによって防御板１０を制御してゲームの防御と攻めを真似して遊べ、防御の面積を広げるとき、アームを力を入れて早く下に振り、スライド板２３が防御板１０より上に移動する状態にさせ、それに従って押し棒２０も上昇し、回転フック１７を推して両側に回転させ、回転フック１７が固定フック１６から離脱し、それにより拡大板１２が連結撥条５２によってスライド溝１３に沿って外部に伸びて防御の面積を拡大させ、拡大板１２を凹み溝１１の中に納める時、腕を回して連結ベルト５１を前に引っ張り、牽引縄２８によって拡大板１２を引き動かして対向して移動し、固定フック１６と回転フック１７が係止連結されて拡大板１２をロックさせ、盾を取り出す時、押し棒４８を左に押してロックブロック３２を前に移動しかつロックブロック３２と挿入連結ベルト４３とを離脱させ、回転蓋４０が回転撥条４１によって後に移動し、アームが左に抜きチャンバ４２から引き出せばいい。
【００１６】
本発明の有益な効果は：本発明は構造が簡単で、操作が便利で、盾を頑丈にアームに着用でき、手部の力を減少させ、着用も解体も便利であり、それに、盾の防御面積が自動的に増え、且つ収縮が便利であり、ゲーム時に便利に使用できる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。